(57)【要約】【課題】資料提示装置における投光器の回転支持構造として、小型で組み立てやすい簡単な構造で、スティックスリップの発生を抑え、かつ操作の容易な投光器を提供する。【解決手段】資料提示装置の投光器を支持するアームの回転支持構造に用いる、アームの支持リングとカップリングと摩擦ブロックとを同一形状とし、かつ前記摩擦ブロックの前記カップリングとの摩擦面に不規則な間隔で複数の溝を設置することにより回転支持構造を小型にしてスティックスリップによる摩擦音の発生をも抑えるものである。【選択図】      図１
2005180672.tif 000002
【特許請求の範囲】
【請求項１】
装置本体と、
前記装置本体上に設けられ、被写体を載置する原稿台と、
前記被写体を撮影するカメラ部と、
前記被写体を照明する投光器と、
一端には前記投光器が取り付けられているアームと、
前記装置本体に対して回動固定可能なように前記アームの他端を取り付ける回動固定部材と、
前記カメラ部からの映像信号を出力する出力端子と、
を有する資料提示装置であって、
前記回動固定部材は、
前記アームの所定の位置に挿入するピンと、
前記ピンで前記アームに回動固定するカップリングと、
スプリングで前記カップリング側へ押圧される摩擦ブロックと、
前記スプリングの後方に位置し、前記アームに設けられた溝に前記スプリングの一端を挿入固定される係止部材と、
前記装置本体に固定して前記アームを支持するブラケットと、
を有することを特徴とする資料提示装置。
【請求項２】
請求項１に記載の資料提示装置であって、
前記回動固定部材は、
前記カップリングと前記摩擦ブロックとを同一形状としたことを特徴とする資料提示装置。
【請求項３】
請求項１に記載の資料提示装置であって、
前記回動固定部材は、
前記摩擦ブロックの摩擦面の片面もしくは両面に不規則な間隔で複数の溝を設けたことを特徴とする資料提示装置。
【発明の詳細な説明】
【技術分野】
【０００１】
本発明は、書類や立体物などの資料を撮像装置で撮像して得た映像信号による画像をモニタで再生したりあるいはプロジェクタを介してスクリーン上に投影する資料提示装置における投光器の回転支持構造に関する。
【背景技術】
【０００２】
従来、会議や学会で用いられる視聴覚機器の一種として、平板状のステージ上に資料等の被写体を置き、照明装置で投光しながら上方からカメラで撮像して被写体の撮影像をモニタ装置の画面に表示させたり、プロジェクタでスクリーン上に投影する資料提示装置が使用されている。
【０００３】
図５に資料提示装置例を示す。
【０００４】
この資料提示装置は、装置本体１、中央部に資料を載せる原稿台２、資料を撮影するために可動可能なアームに支持されているカメラ部３、資料を照明するためにやはり可動可能なアームに支持されている投光器４，５、カメラ部３で撮影された資料の映像信号を外部に出力するための接続端子６から構成される。
【０００５】
投光器４，５は原稿台１の両端或いは片端に備えられ、原稿台２の位置に載せられた資料を原稿として照明する。この投光器４，５は装置本体１に設置された支持アーム７により支えられ、かつ支持アーム７の装置本体１側の一端で回転可能な構造となっている。
【０００６】
そして、原稿のサイズと位置により、照明の角度と位置を変えることで資料面全体の明るさを略均一となるよう調整する。従って投光器４，５は任意の位置で保持出来る必要がある。
【０００７】
図６に従来の資料提示装置における投光器の回転支持構造の断面図を示す。この回転支持構造の主要構成部品は、支持アーム１００、コイルスプリング１０１、座金１０２、フリクションワッシャ１０３、フリクションスリーブ１０４ａ，１０４ｂ、六角ナット１０５、ブラケット１０６で構成されている。
【０００８】
フリクションスリーブ１０４ａはブラケット１０６に螺子止めされている。支持アーム１００は断面がダブルＤ形状となっており、フリクションワッシャ１０３のダブルＤ穴と噛み合ってフリクションワッシャ１０３を回転させる。そして、フリクションワッシャ１０３とフリクションスリーブ１０４ａ，１０４ｂはコイルスプリング１０１により互いに押し付けられて摩擦により保持トルクを発生させる。
【０００９】
フリクションワッシャ１０３とフリクションスリーブ１０４は、支持アーム１００、コイルスプリング１０１、座金１０２、六角ナット１０５により、支持アーム１００の軸方向にお互いに押し付けられており、接合面に発生する摩擦力によって、支持アーム１００の軸を中心に回転させて投光位置を調整しようとした場合、スティックスリップによる摩擦音を発生し、操作時に不快な音を発していた。
【００１０】
スティックスリップとは、摩擦面でひっかかったり（スティック）、すべったり（スリップ）して振動を起こす一連の動きを言い、摩擦音を発生する。これは摩擦面の静摩擦係数と動摩擦係数の関係で決まる動きとなる。 このスティックスリップには、表面の凹凸状態だけでなく、運動に伴う表面摩擦特性が含まれていると考えられる。
【００１１】
このスティックスリップの発生を抑えるには、摩擦面の動摩擦係数と静摩擦係数が異なる材質を摩擦させることによりスティックスリップの周期を相殺させるが、動摩擦係数と静摩擦係数の差を少なくするために、回転中心から摩擦面までの半径方向の距離を長く取り、摩擦面にかかる必要な面圧力を減少させることで対応できる。
【００１２】
しかし、前述したように、回転中心から摩擦面までの半径方向の距離を長く取り、摩擦面にかかる必要な面圧力を減少させることで動摩擦係数と静摩擦係数の差を少なくするために、装置全体が大型形状となり、しかも高精度の加工が要求されていた。
【００１３】
図６の従来例では、支持アーム１００は装置本体１の係り止め側端面をＤ形に潰し、段付き部を形成するための絞り形状を追加、螺子部の加工が必要であった。このため部品の形状が複雑で加工製作に長時間費やしていた。
【００１４】
さらに、組み立て時には、部品の種類、部品点数が多く、かつ非対称で組み付ける方向が限定される部品があり組み立て工数がより多くなっていた。
【特許文献１】特開２０００−８８０１３号公報
【特許文献２】特開平５−２９６２６９号公報
【発明の開示】
【発明が解決しようとする課題】
【００１５】
資料提示装置における投光器の回転支持構造として、スティックスリップの発生を抑えるために、異なった摩擦係数の材質の摩擦面を持った部品を追加し、回転保持部を大きくして回転中心から摩擦面までの半径方向の距離を長く取ると、構造が複雑で組立作業も難しくコスト高となる問題点があった。
【００１６】
そこで本発明は、上述した問題点を解決するため、小型で組み立てやすい簡単な構造で有りながらスティックスリップの発生を抑え、操作時に不快な音を発しない投光器の回転支持構造を有する資料提示装置を得ることを目的とする。
【課題を解決するための手段】
【００１７】
上記目的を達成するため、第１の発明の資料提示装置は、装置本体と、前記装置本体上に設けられ、被写体を載置する原稿台と、前記被写体を撮影するカメラ部と、前記被写体を照明する投光器と、一端には前記投光器が取り付けられているアームと、前記装置本体に対して回動固定可能なように前記アームの他端を取り付ける回動固定部材と、前記カメラ部からの映像信号を出力する出力端子と、を有する資料提示装置であって、前記回動固定部材は、前記アームの所定の位置に挿入するピンと、前記ピンで前記アームに回動固定するカップリングと、スプリング（波状ばね座金２０５）で前記カップリング側へ押圧される摩擦ブロックと、前記スプリングの後方に位置し、前記アームに設けられた溝に前記スプリングの一端を挿入固定される係止部材（Ｃ形止め輪２０６）と、前記装置本体に固定して前記アームを支持するブラケットと、を有する。
【００１８】
上記目的を達成するため、第２の発明の資料提示装置、前記第1の発明の手段に記載されている資料提示装置であって、前記回動固定部材は、前記カップリングと前記摩擦ブロックとを同一形状としたものである。
【００１９】
上記目的を達成するため、第３の発明の資料提示装置は、前記第1の発明手段に記載されている資料提示装置であって、前記回動固定部材は、前記摩擦ブロックの摩擦面の片面もしくは両面に不規則な間隔で複数の溝を設けたものである。
【発明の効果】
【００２０】
本発明の資料提示装置によれば、支持リングとカップリングと摩擦ブロックを同一形状にして金型投資を削減し、かつ簡単な構造でスティックスリップの発生を抑えて操作時に不快な音を発しない資料提示装置を得ることが出来る。
【発明を実施するための最良の形態】
【００２１】
以下、本発明の実施の最良の形態につき、好ましい実施例により、図面を参照して説明する。
【実施例】
【００２２】
図１（Ａ）に投光器の回転支持構造の分解図、（Ｂ）に組立図を示し、図２に組立図の断面図を示す。
【００２３】
図１(Ａ)の分解図に示すようにこの回転支持構造は、支持アーム７、支持リング２０１、ピン２０２、カップリング２０３、摩擦ブロック２０４、波状ばね座金２０５、Ｃ形止め輪２０６から構成され、カップリング２０３と摩擦ブロック２０４との接触面を摩擦面として指示アーム７を回転可能な構造とする。
【００２４】
そして、図１（Ｂ）の組立図は、この回転支持構造における支持アームユニットを示す  。次に、組み立て手順を以下に説明する。
【００２５】
まず、支持アーム７には中空パイプ材を用い、加工容易な回転側の一端にＣ形止め輪２０６を勘合する溝部と、ピン２０２を挿入するための通し孔を設ける。
【００２６】
そして、支持アーム７に支持リング２０１を挿入する。次に支持アーム７にピン２０２を通してからカップリング２０３を挿入してカップリング２０３をピン２０２で位置決めする。このときカップリング２０３に凹部を設けこの中にピン２０２が入り抜けない構造とする。ピン２０２は市販されているスプリングピンを用いて抜け止めの機能を付加してもよい。
【００２７】
次に、摩擦ブロック２０４を、そして波状ばね座金２０５を両側にワッシャを追加して支持アーム７に挿入しＣ形止め輪２０６を支持アーム７に形成された溝に係合する。そうすると、カップリング２０３と摩擦ブロック２０４は、支持アーム７の軸方向に対して波状ばね座金２０５の弾性による圧力により押圧固定される。波状ばね座金２０５は重ねて使用出来る構造として、使用枚数に応じて軸方向荷重を調整し支持アーム７の回転力を最適なものとする。
【００２８】
図２の支持アームユニットの断面図に示すように支持リング２０１とカップリング２０３、及び摩擦ブロック２０４は半径Ｒ０で幅Ｗ０＝Ｗ１＝Ｗ２とする同一形状の部品とし、製作時の金型形状を同一にしてコストを削減する。カップリング２０２及び摩擦ブロック２０４の材質としては主に摩擦に強いプラスチックを用いる。
【００２９】
次に、図３にカップリング２０３と摩擦ブロック２０４の摩擦面の溝間隔例を示す。この図に示すように、カップリング２０３と摩擦ブロック２０４の接合面（摩擦面）の両側もしくは一方の面にスティックスリップによる摩擦音の発生を防ぐための溝を放射状に複数設ける。
【００３０】
カップリング２０３と摩擦ブロック２０４の接合面（摩擦面）の両側に設ける放射状の溝は等間隔の場合、固定周波数の共振によるスティックスリップによる摩擦音を発生しやすいので、図３に示すように不連続な間隔とすることで、多くの共振を抑え、スティックスリップによる摩擦音の発生をより軽減する効果がある。
【００３１】
この溝により、支持アーム７の回転に伴い、摩擦位置が変化していくため、それまで支持アーム７と共に回動するカップリング２０３と摩擦ブロック２０４の摩擦位置部分が動摩擦状態から静止摩擦状態に変化するときには、別の部分が摩擦位置となって接して次の摩擦を開始し、動摩擦状態になるから、摩擦力が常に動摩擦状態で働くため、スティックスリップの発生を防ぐことが出来る。
【００３２】
次に、図４（Ｂ）に示すように、支持リング２０１はカップリング２０３との反対面、摩擦ブロック２０４も同様にカップリング２０３との摩擦面の反対面にそれぞれ螺子穴を設け支持アームユニット７ａとしてブラケット２０７を介して装置本体１に螺子で固定して取り付ける。図４（Ａ）は支持アームユニット７ａを取り付けた投光器４，５を示す。
【図面の簡単な説明】
【００３３】
【図１】本発明に係る資料提示装置の投光器の回転支持構造の分解図と組み立て図を示  す図である。
【図２】本発明に係る資料提示装置の投光器の回転支持構造の断面図を示す図である。
【００３４】
【図３】本発明に係る資料提示装置の摩擦面の溝間隔例を示す図である。
【図４】本発明に係る資料提示装置の投光器と支持アームユニットを示す図である。
【図５】本発明に係る資料提示装置の概要を示す図である。
【図６】従来の資料提示装置の投光器の回転支持構造を示す図である。
【符号の説明】
【００３５】
１  装置本体
２  原稿台
３  カメラ部
４，５  投光器
６  接続端子
７  支持アーム
１００  従来の支持アーム
１０１  コイルスプリング
１０２  座金
１０３  フリクションワッシャ
１０４  フリクションスリーブ
１０５  六角ナット
１０６  ブラケット
２０１  支持リング
２０２  ピン
２０３  カップリング
２０４  摩擦ブロック
２０５  波状ばね座金                （スプリング）
２０６  Ｃ形止め輪                  （係止部材）
２０７  ブラケット
【図１】
2005180672.tif 000003
【図２】
2005180672.tif 000004
【図３】
2005180672.tif 000005
【図４】
2005180672.tif 000006
【図５】
2005180672.tif 000007
【図６】
2005180672.tif 000008